(57)【要約】      （修正有）【課題】野外においても被災者を有効に保護できプライバシーを確保することができ、収容した被災者に癒しを与えることができる、仮設建物用資材とそれに好適なボードや養生材としても有用なボードを提供する。【解決手段】壁面や天井面等を構成するボードＡと、これらのボード間を所望の形態に接続する接続部材であって、ボードＡが、内部に空気層が形成されたダンボール材を基体として、一方の面（内面）１Ａに所望の柄（例えば、プリント柄）が形成されるとともに、もう一方の面（外面）１Ｂが防水性能を有する。【選択図】図１
2016211271.tif 000002
【特許請求の範囲】
【請求項１】
壁面や天井面等を構成するボードと、これらのボード同士を所望の形態に接続する接続部材とを具備した仮設建物用資材であって、
前記ボードが、内部に空気層が形成されたダンボール材を基体として、その一方の表面に所望の柄が形成されるとともに、もう一方の表面に防水性能を有する面が形成されていることを特徴とする仮設建物用資材。
【請求項２】
前記ボードが仮設建物の壁面に使用されるものであり、かかるボードの前記一方の面に形成されている柄が、茶室内の壁面として使用されている聚らく様の柄で、構成されていることを特徴とする請求項１記載の仮設建物用資材。
【請求項３】
前記ボードが仮設建物の天井に使用されるものであり、かかるボードの内面に形成されている柄が、木目調柄であることを特徴とする請求項１又は２記載の仮設建物用資材。
【請求項４】
前記ボードの前記一方の表面側に、消臭作用を奏する機能が付与されていることを特徴とする請求項１乃至３のいずれか１の項に記載の仮設建物用資材。
【請求項５】
前記ボードの前記もう一方の表面側に碁盤の目状に線が形成されていることを特徴とする請求項１乃至４のいずれか１の項に記載の仮設建物用資材。
【請求項６】
前記ボードの前記もう一方の表面側に蛍光色が付与されていることを特徴とする請求項１乃至５のいずれか１の項に記載の仮設建物用資材。
【請求項７】
前記接続部材が、断面コの字状の溝を両側に有するとともに、それらの各溝の背面部分を、弾性性能を備えた可撓性の部材で接続されてなり、
前記各溝内に接続しようとする前記ボードの縁部をそれぞれ収容して、各ボード相互が任意の角度をもって接続できることを特徴とする請求項１乃至６のいずれか１の項に記載の仮設建物用資材。
【請求項８】
仮設建物用資材や養生材として好適なボードであって、当該ボードは、内部に空気層が形成されたダンボール材を基体とし、その一方の表面に所望の柄が形成されていることを特徴とするボード。
【発明の詳細な説明】
【技術分野】
【０００１】
この発明は、主として震災等の緊急時に有用な仮設建物用資材と、それに好適な、又は美観を重視する建物の養生材としても有用な、ボードに、関する。
【背景技術】
【０００２】
地震や土砂災害あるいは台風等の災害において住居が破壊あるいはそれに近い状態となった場合、被災者は風雨や冷気あるいは熱気および太陽の光に晒されることになる。  かかる状況では、地震等の直接的な災害による肉体的および精神的な疲労に加え、前記風雨や冷気等に体が晒されることによって、生命の危険に脅かされることになる。  
このため、緊急の対応策として、倒壊を逃れた学校の体育館や公民館等に被災者を速やかに収容することがおこなわれている。
【０００３】
しかしながら、危惧されている「東南海大地震」のようなマグネチュード８や９にも及ぶような超大規模な震災が発生した場合には、被災エリアが極めて広範囲であり且つ震度等の大きさから、前記体育館や公民館も少なからず被災し、被災者を既存の建屋内に収容しきれないような状況が考えられる。
また、淡路阪神大震災や東日本大震災で既に経験したように、仮に収容できる体育館等があったとしても、その中にプライバシーが殆ど無い状態で１〜２週間以上も収容されていると、多くの人が精神的なストレスで心身の安定が損なわれる。
このため、苦肉の策としてダンボール箱を適宜大きさに切断して簡易の「仕切り壁」を形成し、できるだけのプライバシーを確保するよう努めている。  このような仕切り壁として、特許文献１に記載するようなものが提供されている。
【先行技術文献】
【特許文献】
【０００４】
【特許文献１】特開２００２−１１５３５７
【発明の概要】
【発明が解決しようとする課題】
【０００５】
しかしながら、天井が無いような仕切り壁では、上方の開放部分から覗かれたり小さな音まで聞かれることから、精神的に安定させるだけの、プライバシーを確保することは難しい。
また、限られた空間内において、前記「仕切り壁」は、極く限られたプライバシーが得られるだけで、到底被災者に安心感や癒しを与えることまではできるものでない。
【０００６】
ところで、改装工事、例えば、ホテルやデパートなどの美観が重要視される建屋内において改装工事等がおこなわれる場合でも、現状では、一般の工事現場と同じような美観を全く配慮していない「素材（樹脂）そのまま」の工事用の養生材が使用される。
しかし、かかる状況は、高級な雰囲気を大切にする「ホテル」や「デパート」等の施主側にとって、美観的に、極めて耐えがたい状況を受容している。
【０００７】
本発明は、このような状況に鑑みておこなわれたもので、体育館等の建屋内の空間においてはもちろんのこと、野外においても被災者を保護し、可及的にプライバシーを確保することができ、さらには収容した被災者に安心感や癒しを少しでも与えることができる、仮設建物用資材と、それに好適なボード又は美観を重視する建物の養生材としても有用なボードを、提供することを目的とする。
【課題を解決するための手段】
【０００８】
本第１の発明にかかる仮設建物用資材は、壁面や天井面等を構成するボードと、これらのボード同士を所望の形態に接続する接続部材とを具備した仮設建物用資材であって、
前記ボードが、内部に空気層が形成されたダンボール材を基体として、その一方の表面に所望の柄（例えば、プリント柄）が形成されるとともに、もう一方の表面に防水性能を有する面が形成されていることを特徴とする。
しかして、前述のように構成された本第１の発明にかかる仮設建物用資材によれば、かかる仮設建用資材の一部を構成するボードの前記一方の表面に、プリント柄、例えば、木目柄や襖絵柄あるいはクロス様の柄等が、プリント等によって形成されていることから、それらのボードに囲まれた内部空間における避難生活や就寝も精神的に癒されることになる。また、前記もう一方の表面が防水性能を有することから、かかるもう一方の表面を外面とすれば、かかる外面に雨水が当たったとしても、ボードの内方に雨水を侵入させることはない。従って、かかるボードを仮設建物用資材とした仮設建物を、野外に設置したとしても、快適な住空間を得ることができる。
そして、基材としてダンボール材が使用されていることから、簡単に且つ短時間で仮設の建物を構築することができる。また、重量的に極めて軽量であるため、且つ、組立式にできるため、被災地への搬入が楽にでき、不要になった際には簡単に撤去し処分することが可能となる。さらに、前記ボードが、内部に空気層が形成されたダンボール材を基体としていることから、断熱作用や遮音効果を備えた建物となる。
【０００９】
前記ボードが仮設建物の壁面に使用されるものであり、かかるボードの一方の表面に形成されている柄が、茶室内の壁面として使用されている聚らく様の柄で、構成されていると、高年者や茶道の好きな者にとって好ましい壁面を実現することができる。
【００１０】
前記ボードが仮設建物の天井（屋根）に使用されるものであり、かかるボードの一方の表面に形成されている柄が木目調柄であると、高年者や自然派志向の者にとって好ましい壁面を実現することができる。もちろん、前記木目調柄の態様によっては、より茶室の雰囲気を醸しだすことができる。
【００１１】
前記ボードの前記一方の表面側に、消臭作用を奏する機能が付与されていると、避難生活が多少長引いても、可及的に快適に過ごすことができる。このような消臭作用を奏する機能の付与の形態としては、公知の消臭剤を含浸させたり、あるいは表面に付着させたり、又は液状のものを噴霧することによってボード表面に付与してもよい。
【００１２】
前記ボードの前記もう一方の表面側に碁盤の目状に線が形成されていると、例えば、熱中条件下で仮設建物用として使用するのに際し、窓を形成したい場合には、前記線に沿ってカッターナイフ等で三辺又は四辺を切断すれば、所望の大きさの窓を所望の位置に簡単に、且つ必要に応じて正確に、形成することができる。
【００１３】
前記ボードの前記もう一方の表面側外面に蛍光色が付与されていると、野外に設置した場合にも、仮設建屋の存在を、夜間でも簡単に認識することができる構造となる。
【００１４】
前記接続部材が、断面コの字状の溝を両側に有するとともに、それらの各溝の背面部分を、弾性性能を備えた可撓性の部材で接続されてなり、前記各溝内に接続しようとする前記ボードの縁部をそれぞれ収容して、各ボード相互が任意の角度をもって接続できるよう構成されていると、への字状の建物の屋根部分や、屋根部分と壁面部分との接続が簡単におこなえる点で好ましい。
【００１５】
前記ダンボール材が、素材的に、概ね古紙１０％以下とパージンパルプ９０％以上で構成されていると、強度の高いダンボールとなる。  強度的にさらに高く構成したい場合には、ダンボール材をバージンパルプ１００％で構成することが好ましい。
なお、前記ボードの剛性が高くなって当該ボードに不本意な所謂「反り」が生じる場合には、ボード表面にカッター等の刃物で浅いスリットを形成することが望ましい。
【００１６】
本第２の発明にかかる前記仮設建物用資材や養生材として好適なボードは、内部に空気層が形成されたダンボール材を基体とし、その一方の表面に所望の柄が形成されていることを特徴とする。
しかして、前述のように構成された本第２の発明にかかるボードによれば、かかるボードの前記一方の表面を壁面や天井面として使用すれば、当該壁面や天井面に柄、例えば、木目柄や襖絵柄あるいはクロス様の柄等が、形成されることから、このボードの一方の表面で囲まれた空間内（内部）で、避難生活や就寝しても精神的に癒されることになる。
また、本第２の発明にかかるボードを、前記仮設建物用資材以外にも、例えば、内装工事等の養生ボードとして使用、例えば、ホテルやデパートの改修工事における養生用のボードとして使用する場合、前記一方の表面に、周囲の壁面と同じあるいはデザイン的に調和した（違和感のない）柄、例えば、「木目柄」や「大理石調柄」のプリントをすれば、工事現場を違和感なく囲うことができ、工事以外の部分を工事前の状態とほぼ同じ雰囲気を維持した状態で使用することができる。  しかも、安価に養生や仕切りをすることができる。
【発明の効果】
【００１７】
本発明によると、体育館等の建屋内の空間においてはもちろんのこと、野外においても被災者を保護し、上方も覆われることから、可及的にプライバシーを確保することができ、さらには収容した被災者に安心感と癒しを与えることができる、仮設建物用資材と、それに好適なボード、又は美観を重視する建物の養生材としても有用なボードを、提供することができる。
【図面の簡単な説明】
【００１８】
【図１】本発明の１つの実施形態にかかる仮設建物用資材の一つとして使用するボードの構成を示す斜視図である。
【図２】図１に示すボード同士を、あるいはその他の柄を有するボードとを、又はその他の柄を有するボード同士を、図３に示す接続部材で接続して構築された仮設建物の一実施形態を示す斜視図である。
【図３】図２に示す仮設建物の構築に使用される種々の接続部材を示す図で、（ａ）はボード同士が同一平面を形成するよう接続する接続部材を示す斜視図、（ｂ）はボード同士が相互に交角を形成するよう接続する接続部材の構成を示す斜視図、（ｃ）はボード同士が相互に直角を形成するよう接続する接続部材の構成を示す斜視図である。
【図４】図３に示す接続部材とは別の構成からなる接続部材の２つの実施形態を示す図で、（ａ）は接続部材の側部が屈曲自在に構成された当該接続部材を示す斜視図、（ｂ）は接続部材に貫通穴が形成されかかる貫通穴に釘状の固定具を打ち込むことによってボードを固定するよう構成された当該接続部材の斜視図である。
【図５】図３，図４とは異なる構成を備えた接続部材を示す図で、（ａ）は接続されるボードが互いに交角を有するように接続可能な、幅方向の中央で幅方向で自在に屈曲可能に構成された接続部材を示す斜視図、（ｂ）は接続部材のボードが挿入される部位に当該ボードを強固に挟み込むよう構成された突起を備えた接続部材をボード挿入方向から見た図である。
【発明を実施するための形態】
【００１９】
以下、本発明の実施形態にかかる仮設建物用資材であるボードと接続部材と、それらを用いた仮設建物の例等を、図面を参照しながら具体的に説明する。
【００２０】
図１において、Ａは仮設建物用資材の一つであるボードである。かかるボードＡは、基体（ベースになる素材）として内部に空気層を有するダンボール材１を使用し、かかるダンボール材１の一方の表面（内面ともいう）１Ａには所望の柄（例えば、プリント柄）２が形成されている。この実施形態の場合、前記柄２として木目柄が採用されている。しかし、かかる柄２は、木目調の柄の他に、図示しないが、「山水」の絵柄や、花柄等の種々の襖絵柄や、茶室内の壁面に使用されている「聚らく」様等の壁調の柄、あるいはクロス調の柄や、その他の柄が必要に応じて使用される。  前記柄２の形成は、この実施形態の場合には、プリントによって前記ダンボール材１の内面１Ａに直接形成されているが、別の素材に印刷されたフィルム状のものを前記内面１Ａに貼着することによって形成してもよい。
前記柄は、小ロットの場合には、市販のインクジェット式のプリンターを使用してプリントしてもよく、所定以上の量産がおこなわれる場合には量産に適したスクリーン印刷やその他量産に適した公知の印刷手法等によっておこなわれてよい。
前記ダンボール材１のもう一方の表面（外面ともいう）１Ｂには、所定間隔毎（例えば５ｃｍ間隔毎）に碁盤の目状のライン（図示せず）が形成されている。この実施形態の場合には、前記碁盤の目状のラインが形成された外面は樹脂フィルムでラミネート加工がなされることによって、防水性能が付与されている。なお、前記防水性能の付与は、ラミネート加工以外にも、種々の公知の手法でなされてもよい。
【００２１】
また、付加的な構成として、前記内面１Ａ側には、消臭作用を奏する加工や防染作用を奏する加工がなされてもよい。
さらには、付加的な構成として、前記外面１Ｂに蛍光色が付与され、夜間でも視認し易くしてもよい。
【００２２】
ところで、この実施形態では、前記ダンボール材１は、素材的に、概ね古紙１０％程度とパージンパルプ９０％程度のもので構成されている。かかる構成にすると、強度的に強い且つ剛性の高いダンボール材１となる。
しかし、本発明を実現するのに、前記ダンボール材１が、パージンパルプ１００％で構成されてもよく、かかる構成の場合、強度的にさらに強い且つ剛性的にさらに高いダンボール材となる。また、前記構成に代えて、古紙が１０％以上とパージンパルプが９０％以下にしたダンボール材であってもよい。
【００２３】
ところで、この実施形態では、前記ボードＡ同士を締結（接続）するため、図３に図示するような接続部材１０が使用されている。
例えば、接続しようとするボードＡ同士を同一面を形成する状態で接続する場合には、図３（ａ）に図示するような、両側に開口が対峙するように「コの字」状の溝１１が形成されてなる、接続部材１０Ａが使用される。
また、接続しようとするボードＡ同士が所定の交角をもって接続するような箇所では、図３（ｂ）に図示するような、両側に開口が所定の交角をもって対峙するように「コの字」状の溝１１が各形成された接続部材１０Ｂが使用される。前記交角は適宜角度（この実施形態では１３５度程度）でよいが、例えば、１５０度の角度であってよい。また、交角が１６５度のもの、１５０度のもの、１３５度のものというように、使用態様によって、複数の交角の角度が異なる接続部材を準備しておいてもよい。
また、接続しようとするボードＡ同士を直角に接続するような箇所では、図３（ｃ）に図示するような、両側に開口が直角に交わるように対峙した「コの字」状の溝１１が各形成された、接続部材１０Ｃが使用される。
ところで、図４（ａ）に図示する如く、接続部材１０の溝１１の対峙する少なくとも一方の側部１１ａを、開口が広がる方向に屈曲自在に構成するとともに、当該側部１１ａの内面に串状の突起１２を形成しておいてもよい。かかる接続部材１０の場合、接続しようとするボードＡの縁部が前記溝１１内に収容されると、前記側部１１ａがもう一方の側部１１ｂに近接する方向に屈曲させる（図４（ａ）の二点鎖線参照）ことによって、前記突起１２をボードＡに突き刺して、接続部材１０Ｄの前記側部１１ａがボードＡに確実に固着するような構成を実現できる。
また、別の実施形態にかかる接続部材１０Ｅとして、図４（ｂ）に図示するように、前記突起１１ａ（図４（ａ）参照）に代えて、貫通穴１３を形成しておき、接続部材１０Ｅに対して、ボードＡが所定の位置に位置決めされたら、前記貫通穴１３に釘状の固定具１４を打ち込むことによって、ボードＡを接続部材１０Ｅに対して固定するような構成にしてもよい。
さらには、図５（ａ）に図示するように、接続部材１０Ｆを、二つの背中同士が近接するように対峙する「コの字」状の溝１１の背中部分をエラストマー等の弾性性能を備えた可撓性の部材１０ｍで接続して、当該部材１０ｍの部分が屈曲して、各溝１１内に挿入されたボードＡ同士が所定の且つ任意の角度を有して接続されるように構成すると、山形状の屋根を構成するボード同士や、屋根と壁面を形成するボードＡ，Ａ同士の接続が簡単に可能となる。
ところで、前記各種接続部材１０において、それらの溝１１の内面に図５（ｂ）に図示するように、突起１０ｈを形成すると、かかる突起１０ｈがボードＡに食い込むように作用して、接続部材１１とボードＡをより強固に接続することができる構成を実現できる。前記突起１０ｈの形態としては、より尖った形状に構成されたものや、図において奥行き方向に歯形状に構成されたものであってもよい。
【００２４】
前述のように構成された本実施形態にかかる仮設建物用資材を用いることによって、以下に説明するような仮設建物Ｈ（図２参照）を簡単に且つ短時間で誰もが構築することができる。  つまり、前記ボードＡのうち、床として使用するボード、例えば、畳み柄が形成されているボードを必要枚数（例えば３枚）、水平に配置して、各ボード間を前記図３（ａ）に図示するような構成の接続部材１０（１０Ａ）で接続する。これで仮設建物の床部が構築できる。
次に、水平に敷きつめたボードＡの周囲に、図３（ｃ）に図示する接続部材１０Ｃを配置して、壁となるボードＡ、例えば、「聚らく」の壁調の柄のボードＡを立設する。この際、各立設したボードＡ同士は、前記図３（ａ）に図示する構成の接続部材１０Ａ又は１０Ｃを用いて接続する。この際、必要に応じて、前記した襖絵柄のボードＡを配置することによって、建屋内部を、和室調をより強調したものとしてもよい。
かかる作業によって、仮設建物Ｈの壁部（側部）が形成できる。
【００２５】
次に、仮設建物Ｈの天井（屋根）を、ボードＡによって形成する。この場合、天井面のボードとしては、図１に示すような木目調の柄が形成されたボードＡを用いてもよいし、あるいは前記クロス調の柄が形成されたボードＡを用いてもよい。
かかる天井となるボードＡと前記壁部となるボードＡとは、図３（ｂ）に図示する構成の接続部材１０Ｂや図５（ａ）の接続部材１０Ｆを用いて、あるいは図３（ｃ）に図示する接続部材１０Ｃを用いて接続すればよい。野外では、雨等がかかることから、天井のボードが斜めに配置できる水勾配が形成できることから、前記接続部材１０Ｂや１０Ｆを用いることが望ましい。
また、前記ボードＡの所望の箇所を「コの字」状にカッターナイフ等で切断すれば、ドアＤや窓Ｗを簡単に形成することができる。このようなドアや窓のための切断の際、ボードの外面に形成されている碁盤の目状のラインを利用すると真っ直ぐに切断することができる。
【００２６】
ところで、前記接続部材１０Ａ〜１０Ｃに代えて、図４に図示するような接続部材１０Ｄ，１０Ｅを用いれば、接続部材１０とボードＡとの間が強固に固定されることから、仮設建物Ｈの強度が増加する点で好ましい。
【００２７】
前述のように前記仮設建設用資材を用いて仮設建物Ｈを構築すると、殆ど道具を用いることなく、誰もが簡単に且つ短時間で建設することが可能となる。しかも、前述のように、仮設建物内部は、通常の建物とあたかも同じように、「聚らく」調の柄や襖絵柄で壁面が構成され、天井面も同様に木目調の柄やクロス調の柄で構成される。このため、収容される被災者は落ち着いた雰囲気を得ることができる。
また、野外に設置された場合には、前述のようなボードで構成され、防水性能や断熱性能を備えていることから、雨風と冷気や熱気を可及的に防ぐことが可能となる。また、体育館等の内部に設置された場合には、隔離された且つ遮音された空間が形成されることになるため、可及的にプライバシーが担保されることになる。
しかも、本実施形態にかかる仮設建物用資材は、非常に軽量であるため、簡単に被災地域に搬入することができ、子供を含む誰でもが複雑な道具を必要とすることなく短時間で建設できる。
【００２８】
また、前記仮設建物を野外に設置する場合には、図２に図示するように、天井として使用したボード上に、ソーラ発電パネルＳを配置するとともに、充電式の乾電池等の電池（図示せず）を配置すれば、夜間の照明や携帯電話等に必要な最低限の電源も、各仮設建物Ｈが独立して確保できる。前記ソーラ発電パネルとしては、フィルム型のものが軽量で搬入し易いことから、好ましい。
【００２９】
ところで、前記各種柄が表面に形成されたボードは、前記仮設建物用資材としての他に、ホテルやデパート等の美観を重要視する建物の養生材としても有用なボードとしても使用することができる。つまり、従来は樹脂等の素材が表面に露出した養生材であったものが、周囲に調和するような大理石調の柄や木目調の柄が表面に形成された養生材（ボード）で、工事現場を覆い隠すことができる。かかる場合、ホテルやデパート等の外観美が極めて重要な箇所の工事に際しても、周囲の雰囲気を害するようなことはない。
【００３０】
なお、前記実施形態は単なる１つの実施形態であって本発明の技術的思想を逸脱しない範囲で、種々の形態で実施できることは言うまでもない。
【産業上の利用可能性】
【００３１】
本発明にかかる仮設建物用資材とそれに好適なボード又は美観を重視する建物の養生材としても有用なボードは、災害復旧や建築等の産業分野において利用することができる。
【符号の説明】
【００３２】
Ａ   …ボード
１Ａ  …内面
１Ｂ  …外面
１０  …接続部材
【図１】
2016211271.tif 000003
【図２】
2016211271.tif 000004
【図３】
2016211271.tif 000005
【図４】
2016211271.tif 000006
【図５】
2016211271.tif 000007